(57)【要約】【課題】  リレーロック端子の試験や点検を行う際に、作業を簡単にし得る保護継電器を提供する。【解決手段】  作業者は、電圧計１５の端子部１６の先端を保持部材１７に装着することで、端子部１６がリレーロック端子４に端子部１６を電気的に接続した状態で保持されるから、短絡片を両リレーロック端子に装着して、作業を簡単にできる。【選択図】  図４
2019180176.tif 000002
【特許請求の範囲】
【請求項１】
プラス側の端子およびマイナス側の端子を有する一対のリレーロック端子が、短絡片で着脱自在に接続される保護継電器であって、
該一対のリレーロック端子のうち一方の端子に、電圧計の端子部を電気的に接続して保持可能とする保持部材を備えることを特徴とする保護継電器。
【請求項２】
前記保持部材は、前記端子部を、前記リレーロック端子のうち前記一方の端子の外周面に接触した状態で、該外周面に付勢するように構成されている請求項１に記載の保護継電器。
【請求項３】
前記リレーロック端子は、盤面に対して突設されるとともに、前記短絡片を装着するための装着部を備えており、
前記保持部材は、前記一方の端子における前記装着部よりも前記盤面側となる基端側の部分において、該一方の端子に取付けられている請求項１または請求項２に記載の保護継電器。
【発明の詳細な説明】
【技術分野】
【０００１】
本発明は、リレーロック端子を有する保護継電器に関する。
【背景技術】
【０００２】
一般に変電所には、特許文献１に示すように、電力系統を事故から保護するための装置として、供給側から負荷側の間に配置された保護継電器が備えられている。保護継電器の供給側には、遮断器（開閉器）が配置され、例えば落雷の際には、遮断器にトリップ信号を出力して、負荷側への送電を停止する機能を有する。
【０００３】
この保護継電器は、一対のリレーロック端子を備える。保護継電器は、通常の使用時には、リレーロック端子どうしが短絡片で接続されているが、これを定期的（あるいは不定期的）に試験や点検するためには、短絡片が外される。
【０００４】
以下、アース線とリード線（電圧線）とを備えた電圧計を用いて、作業者が、保護継電器について試験や点検を行うための手順を説明する。なお、（２）〜（４）においては、アース線にアース端子を接続した状態で行うものとする。
（１）一対のリレーロック端子から短絡片を外した状態とし、アース端子にアース線の端子部を接続する。
（２）マイナス側のリレーロック端子にリード線の端子部を接触させて、該リレーロック端子がマイナス側とされていることを確認する。
（３）プラス側のリレーロック端子にリード線の端子部を接触させて、該リレーロック端子がプラス側でないこと（±０Ｖ）を確認する。
（４）両リレーロック端子に再び短絡片を取付け、プラス側のリレーロック端子にマイナスの電圧が印加されていることを確認する。
【先行技術文献】
【特許文献】
【０００５】
【特許文献１】特開２０１６−１５２２０７号公報
【発明の概要】
【発明が解決しようとする課題】
【０００６】
しかしながら、上記従来の保護継電器にあっては、（３）への確認の後に、リード線の端子部をリレーロック端子から外して短絡片を取付け、その後に（４）の確認のために、再度リード線の端子部をリレーロック端子に取付ける必要があるため、作業が煩わしかった。
【０００７】
そこで本発明は、リレーロック端子の試験や点検を行う際に、作業を簡単にし得る保護継電器を提供することを目的とする。
【課題を解決するための手段】
【０００８】
本発明は、プラス側の端子およびマイナス側の端子を有する一対のリレーロック端子が、短絡片で着脱自在に接続される保護継電器であって、該一対のリレーロック端子のうち一方の端子に、電圧計の端子部を電気的に接続して保持可能とする保持部材を備えることを特徴としている。
【０００９】
上記構成を備えた保護継電器では、作業者は、電圧計の端子部を保持部材に装着することで、該端子部がリレーロック端子のうち一方の端子に電気的に接続された状態で保持される。つまり、端子部が、保持部材を介して前記一方の端子に電気的に接続された状態で短絡片の取付けを行うことができて外す必要がないため、保護継電器の試験や点検に係る作業を簡単にできる。
【００１０】
本発明の保護継電器では、前記保持部材は、前記端子部を、前記リレーロック端子のうち前記一方の端子の外周面に接触した状態で、該外周面に付勢するように構成することが採用できる。
【００１１】
上記構成によれば、端子部は、前記一方の端子の外周部に接触した状態で外周面に付勢されるから、前記一方の端子の外周面に端子部を電気的に接続した状態で、確実に保持することができる。
【００１２】
本発明の保護継電器では、前記リレーロック端子は、盤面に対して突設されるとともに、前記短絡片を装着するための装着部を備えており、前記保持部材は、前記一方の端子における前記装着部よりも前記盤面側となる基端側の部分において、該一方の端子に取付けられている構成を採用できる。
【００１３】
上記構成によれば、保持部材が、前記一方の端子における装着部よりも基端側の部分に取付けられているので、保持部材に端子部を保持した状態であっても、短絡片の装着部への装着作業を円滑に行うことができる。
【発明の効果】
【００１４】
本発明の保護継電器によれば、保持部材を介して電圧計の端子部を一方の端子に電気的に接続した状態で保持できるので、保護継電器の試験や点検の際に、簡単に作業できる。
【図面の簡単な説明】
【００１５】
【図１】本発明の第一の実施形態に係る保護継電器の正面図である。
【図２】同リレーロック端子の拡大図である。
【図３】同リレーロック端子の試験や点検を行う際において、（ａ）は下方のリレーロック端子の通電を確認する説明図、（ｂ）は上方のリレーロック端子に通電を確認する説明図、（ｃ）は短絡片をリレーロック端子に取付た状態の説明図である。
【図４】同保持部材の説明図であって、（ａ）は端子部を装着する前の断面図、（ｂ）は端子部を装着したあとの断面図、（ｃ）は表側台座の正面図である。
【図５】本発明の第二の実施形態に係る保護継電器における保持部材の説明図であり、（ａ）は側面図、（ｂ）は正面図である。
【図６】本発明の第三の実施形態に係る保護継電器における保持部材の説明図であり、（ａ）は端子部を装着する前の断面図、（ｂ）は端子部を装着したあとの断面図である。
【発明を実施するための形態】
【００１６】
以下、本発明の一実施形態に係る保護継電器（第一の実施形態）を、図１ないし図４を参照しつつ説明する。図１に示すように、変電所には、電力系統を事故から保護するための保護継電器１が設置されており、保護継電器１の供給側には、遮断器（図示しない開閉器）が配置される。保護継電器１は、例えば落雷の際には遮断器にトリップ信号を出力して、負荷側への送電を停止する機能を有する。
【００１７】
図２に示すように、保護継電器１は、これを試験（検査）や点検するための、一対のリレーロック端子４，５を備える。両リレーロック端子４，５は、保護継電器１の盤面２に対して裏側から表側に向けて、盤面２の表面６から突出して、互いに平行に設けられている。リレーロック端子４，５は、断面が円形に形成されている。本実施形態では、リレーロック端子４，５は、上下・左右方向で複数対設けられている。
【００１８】
リレーロック端子４，５は、盤面２に対する支持部３、およびリレーロック端子４，５どうしを接続する短絡片７の装着部としての挟持構造を有する。
【００１９】
図３に示すように、支持部３は、台座８によって形成される。台座８は、盤面２の裏側に設けられる裏側台座９と、盤面２の表側に設けられる表側台座１０とから構成され、この場合、裏側台座９に表側台座１０が嵌合して、一体化されている。リレーロック端子４，５は、この裏側台座９および表側台座１０によって盤面２に対して立設されている。表側台座１０には、短絡片７をリレーロック端子４，５に確実に繋ぐための後ナット部材１１が内嵌されている。
【００２０】
短絡片７の挟持構造は、リレーロック端子４，５のうち、後ナット部材１１からさらに前方（盤面２からの突出方向の先端側）にある端子部分に配置された、移動部材である螺合部材１２と、前記表側台座１０とを有する。螺合部材１２には、後方に突出する前ナット部材１３が内嵌されている。この短絡片７の装着部としての挟持構造は、盤面２よりも突出方向の先端側に離間した位置で、短絡片７を取付け保持できるように構成されている。
【００２１】
図２および図３に示すように、短絡片７は、導電性部材から板状に形成された短絡片本体７ａと、リレーロック端子４，５の一方の端子４、他方の端子５の外周面に係止する係止部７ｂ，７ｂとを備えている。係止部７ｂ，７ｂは、短絡片本体７ａの長手方向両端部に形成されている。
【００２２】
係止部７ｂ，７ｂを、各リレーロック端子４，５の外周面に係止させた状態で、盤面２に固定された台座８（表側台座１０）に対して螺合部材１２を締付ける（保護継電器１側へ後退させる）と、短絡片７は、前ナット部材１３と後ナット部材１１とで挟持されて、リレーロック端子４，５に取付けられる。そして、前ナット部材１３と後ナット部材１１とは金属部分であるから、短絡片７は、前ナット部材１３と後ナット部材１１によって、リレーロック端子４，５は確実に短絡される。
【００２３】
リレーロック端子４，５は、前ナット部材１３からさらに前方にある端子部分にキャップ１４を備える。キャップ１４は端子部分の先端部に固着され、先端部の保護と、螺合部材１２の抜止め機能を備えた部材である。なお、台座８、螺合部材１２、キャップ１４は同一径で、外周形状を円形に形成されている。
【００２４】
図３および図４に示すように、一対のリレーロック端子４，５のうち、一方の端子である上側のリレーロック端子４（プラス側の端子４）において、保護継電器１の試験や点検用の電圧計１５が備える端子部１６を、着脱自在に保持する保持部材１７を備える。電圧計１５はテスターとも称し、端子部１６を有するリード線、およびアース端子部１８を有するアース線を備える。
【００２５】
本実施形態では、端子部１６は針状の端子部として形成され、アース線は、保護継電器１のアース端子１９に接続されている。アース端子部１８はワニグリップである。なお、端子部１６は、ワニグリップでもよいし、針状端子であってもよい。
【００２６】
保持部材１７は、装着部としての挟持構造よりも、リレーロック端子４の基端側（盤面側）に設けられている。さらに具体的には、保持部材１７は表側台座１０に一体的に設けられており、保持部材１７は、リレーロック端子４に電気的に接続されている。なお、表側台座１０は、外周形状が円形の台座本体２０を備えており、保持部材１７は、台座本体２０の外周面の一部に一体的に形成されている。
【００２７】
保持部材１７は、リレーロック端子４の一部を露出させるよう構成され、表側台座１０の下側に配置された底板２１Ａと、底板２１Ａから立ち上げられた四方の側壁、および天板２１Ｂとを備えている。底板２１Ａは、リレーロック端子４の軸方向に平行な平板状であり、台座本体２０の外周面よりも下方に離間するように配置されている。天板２１Ｂは、底板２１Ａに対し、径方向外側に斜め上傾斜して、台座本体２０に一体的に配置される。
【００２８】
側壁は、リレーロック端子４の径方向で一対の側壁２２ａ，２２ｂと、軸方向で一対の側壁２２ｃ，２２ｄとを有する。径方向において一対の側壁２２ａ，２２ｂのうち、一方側の側壁２２ａは、リレーロック端子４の下方側において台座本体２０から下方に沿設されている。
【００２９】
一対の側壁２２ａ，２２ｂのうち、他方側の側壁２２ｂは、天板２１Ｂの端部の直下となるように底板２１Ａの外側端部から上方へ沿設されている。また、側壁２２ｂの先端と天板２１Ｂとの間に、後述する昇降板２４の端部が挿入される開口部２３が形成されている。なお、開口部２３は、リレーロック端子４の軸心方向に偏平な形状である。また、開口部２３は、保持部材１７に向けて電圧計１５の端子部１６が挿入される開口部分である。
【００３０】
昇降板２４は板状に形成され、その奥端部３１を始点にして回動自在とされ、その先端３２を開口部２３に突出している。昇降板２４の下面は平面状であり、昇降板２４の上面は、先端３２と奥端部３１との間で（他の下面よりも高さの高い）膨出部３３が形成されている。また、昇降板２４は、側壁２２ａ，２２ｂ，２２ｃ，２２ｄで囲繞される領域内に配置されている。
【００３１】
保持部材１７は、昇降板２４が、その奥端部３１を始点として、リレーロック端子４に近づくように付勢するばね体２５を備えている。ばね体２５は、底板２１Ａと昇降板２４との間に配置され、ばね体２５としてはコイルばねが採用されている。また、ばね体２５としては、一箇所または複数個所に設けられ、ばね体２５の上端は昇降板２４の下面に取付けられ、ばね体２５の下端は底板２１Ａに着座している。
【００３２】
このように、保持部材１７は、底板２１Ａ、天板２１Ｂ、四方の側壁２２ａ，２２ｂ，２２ｃ，２２ｄによって囲繞されることで、内部にリレーロック端子４の導通面（外周面）が露出する内部空間を規定する箱型の箱体本体を備えている。そして、該箱体本体の側壁２２ａ，２２ｂ，２２ｃ，２２ｄには、電圧計１５の端子部１６を挿入可能な開口部２３が、リレーロック端子４の径方向外向きに開口するように形成されており、前記内部空間には挿入された端子部１６を前記導通面に接触させた状態で、該導通面へ向けて付勢する付勢部材としての昇降板２４が配置されている。
【００３３】
前述のような表側台座１０（保持部材１７）が、リレーロック端子４，５のうち一方の端子（プラス側の端子４）に設けられ、また複数対の端子４ごとに設けられている。
【００３４】
なお、リレーロック端子４，５は、通常の状態では短絡片７で接続されており、図１および図２の符号Ｃは、リレーロック端子４，５の試験や検査を行なわないため、あるいは行った後に、リレーロック端子４，５を覆う保護カバーである。本実施形態において、保持部材１７は保護カバーＣ内に収められる。
【００３５】
上記構成の保護継電器１は、通常の使用時には、リレーロック端子４，５どうしが短絡片７で接続されている。これを定期的（あるいは不定期的）に試験または検査するためには、短絡片７が外される。
【００３６】
以下、電圧計１５を用いて、作業者が、保護継電器１について試験または検査を行うための手順を説明する。
（１）図１に示すように、アース端子１９に、アース端子部１８を接続する。
（２）図３（ａ）に示すように、他方のリレーロック端子５（この場合、下側のリレーロック端子５であって、マイナス側のリレーロック端子５である）に端子部１６を接触させて、リレーロック端子５がマイナス側とされていることを確認する。なお、端子部１６は、短絡片７を外してリレーロック端子５を露出させた端子部分等に接触させる。
【００３７】
（３）図３（ｂ）に示すように、一方のリレーロック端子４（この場合、上側のリレーロック端子４であって、プラス側のリレーロック端子４である）に端子部１６を接触させて、リレーロック端子４がプラス側でないこと（±０Ｖ）を確認する。
【００３８】
この時、図４に示すように、端子部１６は、保持部材１７を用いて保持される。端子部１６は、開口部２３を通して保持部材１７の箱型本体の内部へ挿入されると、ばね体２５が弾性変形させられ、このばね体２５の弾性復元力により、端子部１６が付勢部材としての昇降板２４と天板２１Ｂとの間に挟持される。そして、端子部１６の先端は、膨出部３３によって付勢されることで、リレーロック端子４に当接させられる。
【００３９】
（４）図３（ｃ）に示すように、両リレーロック端子４，５に再び短絡片７を取付け、一方のリレーロック端子４にマイナスの電圧が印加されたことを確認する。
【００４０】
この時、前述のように、端子部１６は保持部材１７によって、一方のリレーロック端子４に電気的に導通した状態で確実に保持されている。そして、保持部材１７が形成されている表側台座１０と螺合部材１２との間には、螺合部材１２を移動させて、表側台座１０との間に短絡片７（係止部７ｂ，７ｂ）を係止するだけのリレーロック端子４のスペースが確保されている。よって、一方のリレーロック端子４にマイナスの電圧が印加されていることを確認する際に、端子部１６を保持部材１７から外す手間がない。
【００４１】
また、保持部材１７は、ばね体２５で上向きに付勢される昇降板２４で付勢することで、端子部１６をリレーロック端子４の外周面に当接した状態とすることができるので、端子部１６をリレーロック端子４に電気的に接続した状態で、確実に保持できる。
【００４２】
また、保持部材１７は、リレーロック端子４における装着部としての挟持構造よりも基端側の部分に設けられているので、保持部材１７で端子部１６を保持した状態であっても、挟持構造においては、短絡片７の取付作業の邪魔にならずに、短絡片７の取付け作業を円滑に作業できる。
【００４３】
また、保持部材１７は、箱体本体の内部空間にリレーロック端子４が露出するとともに、端子部１６をリレーロック端子４に接触させた状態で、リレーロック端子４へ向けて付勢する付勢部材としての昇降板２４が配置されている。このため、導通面が外部に露出しないように囲繞しつつも、内部空間で端子部１６をリレーロツク端子４に電気的に接続した状態を確実に確保できる。
【００４４】
また、保持部材１７の端子部１６を挿入する開口部２３が、リレーロック端子４の径方向外向きに開口するので、挿入した端子部１６が径方向外方に突出した姿勢で保持される。よって、短絡片７の装着作業において、端子部１６が邪魔にならない。
【００４５】
また、リレーロック端子４のうち保持部材１７よりも前方側に、前後方向に移動する螺合部材１２を有し、短絡片７が、螺合部材１２と保持部材１７の間で、一対のリレーロック端子４，５に取付けられるよう構成されている。この構成によれば、表側台座１０（保持部材１７）は固定されているので移動させずともよく、したがって、端子部１６が安定させられる。
【００４６】
図５に、本発明の第二の実施形態を示す。本実施形態に係る保持部材１７は、表側台座１０に形成されており、台座本体２０と、一方のリレーロック端子４（プラス側の端子）に電気的に接続し、軸方向に離間した一対の保持片３５，３５を備えている。保持片３５，３５は、リレーロック端子４の上方に突出するものであり、台座本体２０の前側に形成されている。
【００４７】
また、保持片３５，３５は、リレーロック端子４の軸方向下側において、一対の保持片３５，３５の間に亘たされた底部形成部材３６を備える。保持片３５，３５は、対向面どうしに波型形状の凹凸部３７が形成されている。他の構成は、上記第一実施形態と同様である。
【００４８】
本実施形態の場合、一対の保持片３５，３５の間で電圧計１５の端子部１６が保持される。具体的には、端子部１６の先端は、一対の保持片３５，３５の弾性力で保持される。また、保持片３５，３５の先端は、凹凸部３７で端子部１６が保持されていることから、確実に保持できる。さらに、一対の保持片３５，３５の両側および両方は開放されているため、端子部１６を上方、左右両側のいずれからでも保持片３５，３５に差込むことができ、利便性がよい。
【００４９】
図６に、本発明の第三の実施形態を示す。本実施形態に係る保持部材１７は、表側台座１０に形成されており、台座本体２０と、折曲片を備える。折曲片は、リレーロック端子４（プラス側の端子）から下方に向けて配置された垂下部４０と、垂下部４０の先端からリレーロック端子４の径外方向で斜め上方へ向けて配置された傾斜部４１とを有する。折曲片のうち、傾斜部４１は弾性体（具体的には板ばねとされる）である。他の構成は上記第一実施形態と同様である。
【００５０】
本実施形態の場合、端子部１６は、傾斜部４１と垂下部４０とで形成されるプラス側の端子４が露出した挿入空間（折曲片）に、リレーロック端子４が電気的に接続されるように挿入され、端子部１６を折曲片の内部へ収納すると、傾斜部４１の弾性復元力により、端子部１６は、リレーロック端子４に押圧され、確実に保持される。
【００５１】
以上のように、上記第一の実施形態〜第二の実施形態では、保持部材１７を、リレーロック端子４の外周面（導通面）が露出する内部空間と、該内部空間に対して、電圧計１５の端子部１６を挿抜可能な開口部とを規定する形状に構成され、内部空間に挿入された端子部１６を保持するように構成されているので、導通面をむき出しにしないように覆いつつも、挿入された端子部１６を保持することができる。
【００５２】
また本発明は、上記実施形態に限定されない。例えば、第一の実施形態において、開口部２３に、端子部１６の挿抜によって開閉される蓋体を形成しておくこともできる。このように蓋体を形成しておくことで、導通面の露出を防ぐことができるとともに、リレーロック端子４を汚れから保護することができる。
【００５３】
上記各実施形態では、表側台座１０は、台座本体２０と保持部材１７とを有する場合で説明した。しかしながら保持部材１７は、表側台座１０に設けられる場合に限らず、例えばキャップ１４に設ける場合も想定できる。また、表側台座１０、螺合部材１２、キャップ１４とは別の部材として、保持部材１７を形成することもできる。
【００５４】
また、上記各実施形態では、プラス側の端子４にのみ保持部材１７を形成したが、場合によっては、マイナス側の端子５に、上記と同様の保持部材１７を形成することもできる。また、アース端子１９に、保持部材１７を形成してもよい。あるいは、プラス側の端子４、マイナス側の端子５、アース端子１９のうち幾つか、または全部に保持部材１７を設けてもよい。
【００５５】
また、上記各実施形態では、端子部１６を保持部材１７の弾性力で保持する場合について説明したがこれに限らず、例えば、端子部１６に引っ掛かり保持する場合や、磁力で保持する場合であってもよい。
【００５６】
なお、第一の実施形態ないし第三の実施形態において、保持部材１７は保護カバーＣ内に収めされる。
【符号の説明】
【００５７】
１…保護継電器、２…盤面、３…支持部、４，５…リレーロック端子、６…表面、７…短絡片、７ａ…短絡片本体、７ｂ，７ｂ…係止部、８…台座、９…裏側台座、１０…表側台座、１１…後ナット部材、１２…螺合部材、１３…前ナット部材、１４…キャップ、１５…電圧計、１６…端子部、１７…保持部材、１８…アース端子部、１９…アース端子、２０…台座本体、２１Ａ…底板、２１Ｂ…天板、２２ａ，２２ｂ，２２ｃ，２２ｄ…側壁、２３…開口部、２４…昇降板、２５…ばね体、３１…奥端部、３２…先端、３３…膨出部、３５，３５…保持片、３６…底部形成部材、３７…凹凸部、４０…垂下部、４１…傾斜部
【図１】
2019180176.tif 000003
【図２】
2019180176.tif 000004
【図３】
2019180176.tif 000005
【図４】
2019180176.tif 000006
【図５】
2019180176.tif 000007
【図６】
2019180176.tif 000008